(57)【要約】【解決手段】本発明の電気コネクタハウジング（１，２１）は、複数のコンタクトモジュール（５，２５）を電気コネクタハウジング（１，２１）に挿入することにより電気コネクタ（１０，２０）を形成するコンタクトモジュール挿入面を具備する。コンタクトモジュールの各々は、対応する電気コネクタ（２０，１０）の複数の第２嵌合コンタクト（２２，２）と嵌合するための複数の第１嵌合コンタクト（２，２２）と、対応する電気コネクタの複数の第２嵌合コンタクトを電気コネクタハウジング内に導入することにより第１嵌合コンタクト及び前記第２嵌合コンタクトが互いに嵌合することを可能にする嵌合面とを有する。接触不良が少ない信頼性の高い電気コネクタを提供するために、複数の絶縁プレート（６，２６）が、電気コネクタハウジングと一体に形成されると共に、第１嵌合コンタクトを支持するよう構成される。
2009524183.tif 000002
【特許請求の範囲】
【請求項１】
複数のコンタクトモジュール（５，２５）を電気コネクタハウジング（１，２１）に挿入することにより電気コネクタ（１０，２０）を形成するコンタクトモジュール挿入面であって、前記コンタクトモジュールの各々が、対応する電気コネクタ（２０，１０）の複数の第２嵌合コンタクト（２２，２）と嵌合するための複数の第１嵌合コンタクト（２，２２）を有する、コンタクトモジュール挿入面と、
前記対応する電気コネクタの前記複数の第２嵌合コンタクトを前記電気コネクタハウジング内に導入し、前記第１嵌合コンタクト及び前記第２嵌合コンタクトが互いに嵌合することを可能にする嵌合面と
を具備する電気コネクタハウジング（１，２１）であって、
複数の絶縁プレート（６，２６）が、前記電気コネクタハウジングと一体に形成されると共に、前記第１嵌合コンタクトを支持するよう構成されていることを特徴とする電気コネクタハウジング。
【請求項２】
前記複数の絶縁プレート（６，２６）は、互いに実質的に平行に形成されていることを特徴とする請求項１記載の電気コネクタハウジング。
【請求項３】
前記複数の絶縁プレート（２６）のうち少なくとも１枚は、互いに所定間隔で表面に配列された複数のスペーサを有し、
前記スペーサは、隣接する２個のコンタクトモジュール（２５）の隣接する２個の第１嵌合コンタクト（２２）を互いに分離することを特徴とする請求項１又は２記載の電気コネクタハウジング。
【請求項４】
前記スペーサは、挿入されたコンタクトモジュール（５，２５）の第１嵌合コンタクト及びスペーサの表面が、前記対応する電気コネクタ（１０）の第２嵌合コンタクト（２）を導入する導入部を形成するように、存在することを特徴とする請求項３記載の電気コネクタハウジング。
【請求項５】
前記第１嵌合コンタクト（２２）は、湾曲した弾性端を有し、
前記スペーサは、前記第２嵌合コンタクト（２）のより容易な導入を可能にするよう切り開かれた端部を有することを特徴とする請求項４記載の電気コネクタハウジング。
【請求項６】
前記複数の絶縁プレート（６）のうち少なくとも１枚は、該絶縁プレートの表面に形成されると共に、前記コネクタハウジング（１）に挿入される前記第１嵌合コンタクト（２）を支持するよう構成された支持リブ（７）を有し、この結果、前記第１嵌合コンタクトは前記支持リブに対して押圧され、
前記支持リブの縦軸は、前記第１嵌合コンタクトの縦軸と実質的に平行であることを特徴とする請求項１又は２記載の電気コネクタハウジング。
【請求項７】
前記電気コネクタハウジング（２１）は、前記対応する電気コネクタ（１０）の第２電気コネクタハウジング（１）を収容するよう構成されると共に、さらに案内リブ（２７）を具備し、
該案内リブは、前記対応する電気コネクタの前記第２電気コネクタハウジングに配列された対応する案内スロット（１７）に挿入されるよう構成されることを特徴とする請求項１ないし５のうちいずれか１項記載の電気コネクタハウジング。
【請求項８】
請求項１ないし７のうちいずれか１項記載の前記電気コネクタハウジングと、
クリップすることにより、前記電気コネクタハウジングの前記コンタクトモジュール挿入面に挿入された複数のコンタクトモジュール（５，２５）と
を具備することを特徴とする電気コネクタ。
【請求項９】
電気コネクタハウジング（１，２１）内に複数のコンタクトモジュール（５，２５）を挿入するためのコンタクトモジュール挿入面を形成する工程であって、前記コンタクトモジュールの各々は、対応する電気コネクタ（２０，１０）の複数の第２嵌合コンタクト（２２，２）と嵌合するために複数の第１嵌合コンタクト（２，２２）を具備する、コンタクトモジュール挿入面を形成する工程と、
前記対応する電気コネクタの前記複数の第２嵌合コンタクトを前記電気コネクタハウジング内に導入するための嵌合面を形成する工程と、
前記電気コネクタハウジングと一体に構成され、前記第１嵌合コンタクトを支持するよう構成された複数の絶縁プレート（６，２６）を形成する工程と
からなることを特徴とする電気コネクタハウジングの製造方法。
【請求項１０】
前記製造方法は、請求項９記載の方法に従って製造された前記電気コネクタハウジングの前記コンタクトモジュール挿入面に前記複数のコンタクトモジュールを挿入する工程を具備することを特徴とする電気コネクタハウジングの製造方法。
【請求項１１】
コネクタハウジング（１，２１）と、
相手の電気コネクタ（１０）の複数の第２嵌合コンタクト（２２，２）と嵌合するための複数の第１嵌合コンタクト（２，２２）であって、前方嵌合縁（３）を画定する前記複数の第１嵌合コンタクトと、
実装縁（５）を画定する複数の実装コンタクト（４，２４）と
を具備する電気コネクタであって、
前記複数の第１嵌合コンタクトは、前記複数の実装コンタクトに電気的に接続され、
複数の絶縁プレート（６，２６）が、前記コネクタハウジングと一体に形成されると共に、前記第１嵌合コンタクトを支持するよう構成されていることを特徴とする電気コネクタ。
【請求項１２】
前記複数の絶縁プレートは、互いに実質的に平行に形成されていることを特徴とする請求項１１記載の電気コネクタ。
【請求項１３】
前記複数の実装コンタクトは行及び列のマトリクス状に配列され、
同一の列に配列された２個の実装コンタクト間のピッチは、異なる２つの値の間を交替する値（l1，l2）を有することを特徴とする請求項１１又は１２記載の電気コネクタ。
【請求項１４】
前記絶縁プレート（６）の表面に支持リブ（７）が形成されると共に前記コネクタハウジング（１）に前記第１嵌合コンタクト（２）が配列され、この結果、前記第１嵌合コンタクトは前記支持リブに対して押圧され、
前記支持リブの縦軸は、前記第１嵌合コンタクトの縦軸と実質的に平行であることを特徴とする請求項１１ないし１３のうちいずれか１項記載の電気コネクタ。
【請求項１５】
前記複数の第１嵌合コンタクトは、異なる長さを有することを特徴とする請求項１１ないし１４のうちいずれか１項記載の電気コネクタ。
【請求項１６】
前記コネクタハウジング（２１）は、相手電気コネクタ（１０）の第２ハウジング（１）を収容するよう構成されると共に、前記相手電気コネクタの前記第２嵌合コンタクトを前記コネクタハウジング（２１）の一部及び前記第１嵌合コンタクト（２２）の間にクランプするよう構成されていることを特徴とする請求項１１ないし１３のうちいずれか１項記載の電気コネクタ。
【請求項１７】
前記コネクタハウジングは、前記相手電気コネクタの前記第２ハウジングに配列された対応する案内スロット（１７）に挿入されるよう構成された案内リブ（２７）を有することを特徴とする請求項１６記載の電気コネクタ。
【請求項１８】
前記複数の実装コンタクト（２４）及び前記第１嵌合コンタクト（２２）は、前記コネクタハウジングにクリップすることにより接続できる複数のチクレット（２５）内に配置されることを特徴とする請求項１６又は１７記載の電気コネクタ。
【請求項１９】
前記実装コンタクト及び前記第１嵌合コンタクトは、前記チクレットを形成するようオーバーモールドされていることを特徴とする請求項１８記載の電気コネクタ。
【請求項２０】
コネクタハウジング（１，２１）内に、前方嵌合縁（３）を画定すると共に、実装縁（５）を画定する複数の実装コンタクト（４，２４）に電気的に接続可能な複数の第１嵌合コンタクト（２，２２）を形成する工程を具備する電気コネクタの製造方法であって、
前記第１嵌合コンタクトを支持するために、前記コネクタハウジングと一体に複数の絶縁プレート（６，２６）を形成する工程をさらに具備することを特徴とする電気コネクタの製造方法。
【請求項２１】
前記絶縁プレートの表面に支持リブ（７）を形成する工程と、
前記第１嵌合コンタクトが前記支持リブに対して押圧され、前記支持リブの縦軸が前記第１嵌合コンタクトの縦軸と実質的に平行になるように、前記コネクタハウジングに前記第１嵌合コンタクトを配列する工程と
をさらに具備することを特徴とする請求項２０記載の電気コネクタの製造方法。
【発明の詳細な説明】
【技術分野】
【０００１】
本発明は、電気コネクタに関し、特に複数のコンタクトモジュールを電気コネクタハウジングに挿入することにより電気コネクタを形成する、コンタクトモジュール挿入面を有する電気コネクタハウジングに関する。ここで、各コンタクトモジュールは、対応する電気コネクタの複数の第２嵌合コンタクトと嵌合するための複数の第１嵌合コンタクトと、前記電気コネクタハウジング内に前記対応する電気コネクタの前記複数の第２嵌合コンタクトを導入する嵌合面を具備することにより、前記第１及び第２の嵌合コンタクトが互いに嵌合することができる。
【背景技術】
【０００２】
コンピュータ、ルータ、スイッチ等に使用されるプロセッサ等のより小さく、より高速で、より高性能の電気部品の今の傾向により、電気経路に沿った電気インタフェースも、増加したスループットでより高周波且つより高密度で作動する重要性が増大してきた。
【０００３】
回路基板を相互接続する従来のやり方において、一方の回路基板はバックプレーンとして作用し、他方の回路基板は子基板として作用する。バックプレーンは、一般にヘッダと称されるコネクタを有するのが代表的である。このヘッダは、バックプレーン上の導電トレースに接続される複数の信号ピンすなわち信号コンタクトを有する。一般にリセプタクルと称される子基板コネクタも、複数のコンタクトすなわちピンを有する。代表的には、リセプタクルは、信号が２枚の基板間に送られるように、バックプレーンを子基板と相互接続する直角型コネクタである。直角型コネクタは代表的には、バックプレーン上のヘッダからの複数の信号ピンを受容する嵌合面と、子基板に接続する実装面とを有する。同様に、ヘッダは、直角型コネクタの嵌合面と嵌合するよう構成された嵌合面と、バックプレーン基板に接続する実装面とを有する。
【０００４】
これらのコネクタを流れる信号の伝送周波数が増大するにつれ、信号の劣化を最小にするためにコネクタの所望のインピーダンスを維持することがより望ましくなる。干渉又はクロストークを減少させるために、モジュールに接地シールドを設けることがある。さらに、接地シールドをヘッダコネクタの接地コンタクトに追加してもよい。コネクタの寸法を大きくすることなく、コネクタ性能を向上させ、信号搬送能力を増大させるためにコンピュータ密度を増大させることは、挑戦的である。
【０００５】
今日も依然として使用されるいくつかの古いコネクタは、毎秒１ギガビット以下の速度で作動する。対照的に、今日の多くの高性能コネクタは、毎秒10ギガビット以上の速度で作動することができる。予測されるように、コネクタの性能が高くなればなるほど、コストが高くなる。
【０００６】
寸法が小さい、或いはピン密度が大きな電気コネクタを得るように、信号ピン間のピッチが小さい電気コネクタを設計しようとすると、信号ピンを細くしなければならないので、信号ピンは、より脆弱になり、曲がり易いか破損し易い。これらの電気コネクタを、高速データ伝送を含む高速用途で実施すると、電気性能の高品位を保証することが重要になる。しかし、電気コネクタのインピーダンス及び他の重要な電気特性は、信号ピンの互いに対する位置に依存する。このため、高い電気性能を保証しながら、コンタクト間のピッチがより小さい電気コネクタを設計することは挑戦的である。
【０００７】
電気コネクタで起こり得る別の問題は、電気コネクタのハウジング内のコンタクト、特に、電気コンタクトの端部に配置された弾性部は、正確に位置決めされないおそれがある。この不正確な位置決めは、米国市場では中心となるテレコーディア規格ＧＲ−１２１７等の通信コネクタに使用される電気コネクタ資格に従った不良メカニズムと考えられる。１個の電気コネクタ内の電気コンタクトの弾性部が不正確に位置決めされることは、製造、取扱い、挿入、基板処理、嵌合等の際に生じ得る。さらに、干渉は、当初の設計接触力からのばらつきを引き起こす結果となり得る。また、電気コンタクトの弾性部の応力緩和又は変形、或いはハウジングのプラスチックコネクタ部の変形のため、接触力も時間の経過とともに低下するおそれがある。接触力が低レベルまで低下すると、付加的な減少は容認できなくなり、接触力は危険な最小値まで到達するおそれがある。
【０００８】
インピーダンス整合されたバックプレーンコネクタが、欧州特許第４２２７８５号明細書に開示されている。ここで、電気接続システムは複数のハウジングモジュールを有し、各モジュールは複数のピン受容通路を有する前部嵌合面を有する。コネクタ組立体を組み立てるために、複数の端子副組立体が見込まれる。各端子副組立体は、ハウジングモジュールの後部に挿入されるので、互いに積み重ねられる。端子副組立体は、ブレード部の形態の電気コンタクトを有する。電気コンタクトは、ハウジングモジュール内に端子副組立体が挿入される際に、ハウジングモジュールの後部に配列された垂直スロットと整合し、これにより、コネクタの前部嵌合面に狭い開口に隣接する端子リードフレームの対向する複数の接触部を配置する。
【発明の開示】
【発明が解決しようとする課題】
【０００９】
しかし、上述の欧州特許に開示されたコネクタ組立体において、雄型電気コネクタ内の電気コンタクトは、完全には支持されていない。このため、電気コンタクトが細くより脆弱な場合、容易に破損するおそれがあり、電気コネクタの信頼性はあまり高くなく、寿命が比較的短い。さらに、その欧州特許に開示された雌型コネクタは、二重ビームコンタクト原理、すなわち１本の雄型電気コンタクトに嵌合する２個の雌型コンタクトに基づいている。しかし、このような２コンタクトの雌型コネクタは、接触力が危険な最小値まで低下することが多いという技術的な欠点がある。
【００１０】
当業界における電気コネクタ設計に関わる他の接触不良メカニズムは、接触面上への塵埃すなわち微粒子の付着、コネクタの摩耗、接触が行なわれる露出した非貴金属のガスによる腐食である。
【００１１】
本発明の第１の目的は、接触不良が少ない、特に信頼性の高い電気コネクタを得ることができる改善された電気コネクタハウジングを提供することである。
【００１２】
本発明の第２の目的は、製造の複雑さが低いことを保証しながら、電気特性が改善され、コンタクト間のピッチが小さい電気コネクタを提供することである。
【課題を解決するための手段】
【００１３】
複数の絶縁プレートが電気コネクタハウジングと一体に形成され、第１嵌合コンタクトを支持するよう構成されると、第１嵌合コンタクトは、第１嵌合コンタクトは、このような電気コネクタハウジングによってしっかりと支持される。このため、特に堅牢な電気コネクタを製造できる。電気コネクタの第１嵌合コンタクトは細いので、変形又は損傷を極めて受け易い。非常に安定した位置関係が嵌合コンタクトの良好な保護を保証することを可能にするので、本発明に従った電気コネクタの構造は特に利点がある。さらに、絶縁プレートは第１嵌合コンタクト間のピッチを一定に保つことを可能にするので、固定された位置関係及び一定の電気特性を保証する。
【００１４】
複数の絶縁プレートが電気コネクタハウジングと一体に形成されているので、コネクタハウジング内の電気コンタクトは完全に保護されており、製造、取扱い、挿入、基板処理、嵌合等の際、電気コネクタハウジング内の電気コンタクトの弾性部の不正確な位置決めを防止することができる。さらに、電気コネクタ内のコンタクトを正確に位置決めできるので、信号伝送品質を改善することができ、信号伝送品質を落とすことなく接触力を容認可能な最小値に維持することができる。また、プラスチックハウジングの塑性変形と共に、コンタクトの弾性部の変形を防止することができる。
【００１５】
電気コネクタハウジングの一実施形態によれば、複数の絶縁プレートのうち少なくとも１枚は、互いに所定間隔で表面に配列された複数のスペーサを有する。これらのスペーサは、隣接する２個のコンタクトモジュールの隣接する２個の第１嵌合コンタクトを互いに分離する。このため、隣接する２個の第１嵌合コンタクトは互いに電気的に分離されるので、隣接する２個の電気コンタクト間に、強いＴ形状のハウジング壁を形成することができる。
【００１６】
電気コネクタハウジングの一実施形態によれば、挿入されたコンタクトモジュールの第１嵌合コンタクト及びスペーサの表面が、対応する電気コネクタの第２嵌合コンタクトを導入する導入部を形成するように、スペーサは存在する。この結果、電気コネクタの第１嵌合コンタクト及び対応する電気コネクタの対応する第２嵌合コンタクトが、隣接する２個のスペーサ間に囲まれることにより、２個の電気コネクタの第１及び第２の嵌合コンタクト間に極めてしっかりとした機械的嵌合を提供する。さらに、塵埃又は微粒子がコネクタハウジング内に入り込むことを防止でき、振動の防止によりコネクタの摩耗を制限できる閉じた箱構造が得られる。
【００１７】
本発明のさらに別の実施形態によれば、第１嵌合コンタクトは湾曲した弾性端を有し、スペーサは第２嵌合コンタクトのより容易な導入を可能にする切り開かれた端部を有する。
【００１８】
本発明のさらに別の実施形態によれば、複数の絶縁プレートのうち少なくとも１枚は、絶縁プレートの表面に形成されると共に、コネクタハウジングに挿入される第１嵌合コンタクトを支持するよう構成された支持リブを有する。この結果、第１嵌合コンタクトは支持リブに対して押圧され、支持リブの縦軸は、第１嵌合コンタクトの縦軸と実質的に平行である。支持リブを見越すことは、絶縁プレート上に配列された第１嵌合コンタクトを支持することにより、コネクタ組立体をより脆弱にしないという技術的利点を提供する。さらに、支持リブは、ガイドとして作用することにより、第１嵌合コンタクトの先端を位置決めすることを可能にする。
【００１９】
本発明の別の実施形態によれば、電気コネクタハウジングは、対応する電気コネクタの第２電気コネクタハウジングを収容するよう構成されると共に、さらに案内リブを有する。案内リブは、対応する電気コネクタの第２電気コネクタハウジングに配列された対応する案内スロットに挿入されるよう構成される。このため、電気コネクタ及び対応する電気コネクタの各ハウジングは、互いに円滑に嵌合することができる。
【００２０】
本発明に従った電気コネクタの別の実施形態によれば、複数の実装コンタクトが行及び列のマトリクス状に配列され、同一の列に配列された２個の実装コンタクト間のピッチは、異なる２つの値の間を交替する値を有する。これにより、コンタクト間の全体のピッチの減少を保証しながら、実装コンタクトが印刷回路基板に実装される際に実装コンタクト間の跡を通るために実装コンタクト間に十分な空間を提供することができる。
【００２１】
本発明のさらに別の実施形態によれば、複数の嵌合コンタクトが、異なる用途において実施可能な異なるタイプの電気コネクタの製造ができる異なる可能な長さで予見されるので、高い柔軟性を可能にする。
【００２２】
また、複数の実装コンタクト及び第１嵌合コンタクトがコネクタハウジングに選択的にはクリップすることにより接続できる複数のチクレット内に配置される電気コネクタを見越すことは、特に利点がある。これらチクレットは、雌型コネクタを形成するために、コネクタハウジングに極めて容易に接続することができる。チクレットは、選択的にはプラスチック材料で実装コンタクト及び嵌合コンタクトをオーバーモールドすることにより、極めて低コストで製造することができる。
【発明を実施するための最良の形態】
【００２３】
以下、本願に含まれる図面に基づいて本発明を詳細に説明する。
【００２４】
図１は、本発明の一実施形態に従った雄型電気コネクタ１０を示す斜視図である。複数のコンタクトモジュール５（そのいくつかは図１において仮想線で示される）は電気コネクタハウジング１内に挿入され、これにより、電気コネクタ１０を形成する。「チクレット」という用語は、当業界ではコンタクトモジュールを指すものとして使用されることが多い。このため、本願では、これら２通りの用語を使用する。
【００２５】
各コンタクトモジュール５において、複数の第１嵌合コンタクト２は、前方嵌合縁３を画定する。各第１嵌合コンタクト２は、対応する実装コンタクト４に電気的に接続される。複数の実装コンタクト４は、実装縁８を画定する。コネクタハウジング１は、絶縁材料、選択的にはプラスチック材料から作成される。複数の第１嵌合コンタクト２は、コネクタハウジング１に配置された複数のキャビティを通って突出する。
【００２６】
複数の実装コンタクト４は、各コンタクトモジュール５内に配列される。ここで、複数の実装コンタクト４は、互いに関して整列し、相互間の実質的に一定の距離でコンタクトモジュール５にオーバーモールドされる。しかし、異なる２つの値の間を、交互であるか又は異なるパターンにならう、実装コンタクト４間の距離でコンタクトをオーバーモールドすることも考えられる。
【００２７】
コネクタハウジング１は、選択的にはプラスチック材料製である複数の絶縁プレート６を有する。これら絶縁プレート６は、コネクタハウジング１と一体に形成される。絶縁プレート６は、選択的には互いに平行に配列され、複数の第１嵌合コンタクト２を支持する。本発明の好適な一実施形態によれば、支持リブ７も、絶縁プレート６の表面に配置されてもよい。支持リブ７がコネクタハウジング１の絶縁プレート６上に配置されているので、第１嵌合コンタクト２の縦軸は、支持リブ７の縦軸と実質的に平行である。第１嵌合コンタクト２は、支持リブ７に対して押圧されるようにコネクタハウジング１内に配列されている。このため、第１嵌合コンタクト２は、若干の予荷重で支持リブ７上に配置される。支持リブ７の幅は第１嵌合コンタクト２の幅の何分の１かに対応するので、第１嵌合コンタクト２の一部が支持リブ７に対して押圧される。
【００２８】
図２及び図３は、本発明の一実施形態に従った雄型嵌合コネクタ１０をさらに別の方向から見た２つの斜視図である。
【００２９】
図４は、本発明の別の実施形態に従った雌型電気コネクタ２０を示す斜視図である。この電気コネクタ２０は、複数のコンタクトモジュール２５が挿入される第２ハウジング２１を有する。各コンタクトモジュール２５は複数の電気コンタクトを具備し、各電気コンタクトは嵌合コンタクト２２である第１先端と実装コンタクト２４である第２先端とを有する。複数の嵌合コンタクト２２は、複数の対応する実装コンタクト２４に電気的に接続される。複数の嵌合コンタクト２２は嵌合縁を画定し、複数の実装コンタクト２１は実装縁を画定する。第２電気コネクタハウジング２１は、絶縁材料、選択的にはプラスチック材料から形成される。
【００３０】
第２電気コネクタハウジング２１は、第２ハウジング２１と一体に形成された複数の絶縁プレート２６を有する。複数の嵌合コンタクト２２は、複数の絶縁プレート２６の表面上に配置されるので、絶縁プレート２６により支持される。
【００３１】
本発明の一実施形態によれば、絶縁プレート２６は、互いに所定間隔で絶縁プレート２６の一面に配列された複数のスペーサをさらに具備してもよい。コンタクトモジュール２５が電気コネクタハウジング２１内に挿入される際に、スペーサが互いに２個の隣接するコンタクトモジュール２５の２個の隣接する嵌合コンタクト２２を分離するように、スペーサは絶縁プレート２６上に配列される。第１嵌合コンタクト２２と、隣接するコンタクトモジュール２５の隣接する嵌合コンタクト２２から第１嵌合コンタクト２２を分離するスペーサの一面は、対応する電気コネクタの第２嵌合コンタクトを導入するための導入部を形成する。これについては、以下に詳細に説明する。
【００３２】
図５は、嵌合コンタクト２２及び実装コンタクト２４が配列された複数のコンタクトモジュール２５を示す斜視図である。複数のコンタクトモジュール２５は、選択的にはクリップすることによって第２ハウジング２１に接続可能であり、雌型電気コネクタ２０を形成する。図５に示される典型的な実施形態において、コンタクトモジュール２５は、第２ハウジング２１内にクリップするためのクリップ要素２８を具備する。
【００３３】
図６は、本発明の別の実施形態に従った雌型電気コネクタ２０と嵌合した本発明の一実施形態に従った雄型電気コネクタ１０を示す斜視図である。雄型電気コネクタ１０のコネクタハウジング１は、雌型電気コネクタ２０の第２ハウジング２１に収容される。雄型電気コネクタ１０の第１コネクタハウジング１のキャビティ内に配列された複数の第１嵌合コンタクト２は、雌型電気コネクタ２０の第２ハウジング２１内に配列された第２嵌合コンタクト２２と嵌合する。
【００３４】
図７は、嵌合状態の雄型電気コネクタ１０及び雌型電気コネクタ２０の組立体の断面図である。雌型電気コネクタ２０の第２嵌合コンタクト２２と、第２嵌合コンタクト２２に隣接して配置されると共に第２嵌合コンタクト２２を隣接するコンタクトモジュール２５の隣接する嵌合コンタクト２２から分離するスペーサの表面とは、対応する雄型電気コネクタ１０の対応する第１嵌合コンタクト２用の導入部を形成する。導入部に挿入された後、雄型電気コネクタ１０の第１嵌合コンタクト２は、雌型電気コネクタ２０の絶縁プレート２６上に配列されたスペーサ及び雌型電気コネクタ２０の対応する第２嵌合コンタクト２２の間にクランプされる。スペーサの断面は、スペーサ及び第２嵌合コンタクト２２の間にクランプされた第１嵌合コンタクト２を示す図７に表わされている。
【００３５】
図８は、本発明の一実施形態に従った雄型電気コネクタ１０及び雌型電気コネクタ２０の嵌合前の状態を示す斜視図である。雄型電気コネクタ１０は、コネクタハウジング１に一体化された案内スロット１７を有する。雌型電気コネクタ２０は、コネクタハウジング２１の一面に設けられた案内リブ２７を有する。雌型電気コネクタのハウジングの案内リブ２７は、雌型電気コネクタ２０の第２ハウジング２１及び雄型電気コネクタ１０のコネクタハウジング１の嵌合を促進するよう、雄型電気コネクタのハウジングの対応する案内スロット１７に挿入可能である。
【００３６】
図９は、嵌合状態の雄型電気コネクタ１０及び雌型電気コネクタ２０を示す斜視図である。雌型電気コネクタのハウジング２１の案内リブ２７は、雄型電気コネクタ１０のコネクタハウジング１の対応する案内スロット１７に挿入される。図９から明らかなように、案内スロット１７には、案内リブ２７のより容易な挿入を可能にする余地が見える。
【００３７】
図１０は、雌型電気コネクタ２０を示す斜視図である。嵌合コンタクト２２は、第２ハウジング２１内に配列されている。第２ハウジング２１の側壁２１’は、図６から明らかなように、雄型電気コネクタ１０のコネクタハウジング１の絶縁プレート６の先端が挿入可能である凹部２１”を有する。絶縁プレート２６上に配置されたスペーサ２９は、予荷重が与えられた雌型嵌合コンタクト２２と接触した状態で図示されている。雌型嵌合コンタクト２２は湾曲した弾性端を有し、スペーサ２９は切り開かれた端部を有するので、対応する雄型電気コネクタ１０の対応する嵌合コンタクト２の挿入が促進される。というのは、スペーサ２９の切り開かれた端部及び隣接する雌型嵌合コンタクト２２の湾曲した弾性端によって導入部が形成されるからである。
【００３８】
図１１は、雌型電気コネクタ２０の第２ハウジング２１の側壁２１’の凹部２１”を示す、雌型電気コネクタ２０を別の方向から見た斜視図である。
【００３９】
図１２は、１枚の絶縁プレート２６上に互いに所定距離で配置されたスペーサ２９を示す、雌型電気コネクタ２０を通る断面の一部の斜視図である。この図は、スペーサ２９の面及び隣接する雌型嵌合コンタクト２２が、対応する雄型電気コネクタ１０の対応する雄型嵌合コンタクト２を導入するための導入部を形成することを示す。
【００４０】
図１３は、雌型電気コネクタ２０の雌型電気コンタクト２２が対応する雄型電気コネクタ１０の対応する雄型嵌合コンタクト２と嵌合した後を示す、図１２と同様の図である。雄型嵌合コンタクト２が雌型電気コンタクト２２及び隣接するスペーサ２９の面の間にクランプされていることが、図１３から明らかである。
【００４１】
図１４は、雄型電気コネクタ１０又は雌型電気コネクタ２０の実装コンタクト４，２４の配列を示す。図１４は、１組の実装コンタクト４，２４を通る断面を示すと共に、実装コンタクト４，２４の行と列のマトリクス状配列を示す。同一行内に配置された隣接する２個の実装コンタクト４，２４間のピッチl1は、一定値を有する。他方、同一列内に配置された隣接する２個の実装コンタクト４，２４間のピッチは、交互に値が変わる。隣接する２個の実装コンタクト４，２４間の行ピッチは、２つの値1l及びl2のいずれかである交互の値である。
【００４２】
図１５は、雄型電気コネクタ１０及び雌型電気コネクタ２０の嵌合コンタクト２，２２のマトリクス状配列を示す。同一行内に配置された隣接する２個の嵌合コンタクト２，２２間の列ピッチは、一定値l1を有する。同一列に配置された隣接する２個の嵌合コンタクト２，２２間の行ピッチは、一定値l2を有する。
【００４３】
本発明の好適な一実施形態において、ピッチ値l1は1.25〜1.70mmの値を有するのに対し、ピッチ値l2は1.00〜1.50mmの値を有する。
【００４４】
本発明の好適な一実施形態においては、同一列内に配置された隣接する２個の実装コンタクト間の行ピッチが交互の値を有するものとして記載したが、隣接する２個の実装コンタクト間の行ピッチは、一定値を有してもよい。
【００４５】
本明細書に記載された電気コネクタハウジングは、電気コネクタハウジングと一体に形成された複数の絶縁プレートを有する。ここで、複数の絶縁プレートは、電気コネクタの嵌合コンタクトを支持するよう構成されている。本発明の一実施形態に従った電気コネクタハウジングは、電気コネクタハウジング内に電気コネクタの嵌合コンタクトの弾性部を正確に位置決めすることを可能にするので、電気コネクタの接触信頼性を向上させる。接触力が当初の設計値に近い値に維持することができるので、このような電気コネクタハウジングは、電気コネクタの長寿命を保証する。
【図面の簡単な説明】
【００４６】
【図１】本発明の一実施形態に従った雄型電気コネクタの斜視図である。
【図２】図１に示された雄型電気コネクタを別の方向から見た斜視図である。
【図３】図１に示された雄型電気コネクタをさらに別の方向から見た斜視図である。
【図４】本発明の一実施形態に従った雌型電気コネクタの斜視図である。
【図５】雌型電気コネクタの複数のコンタクトモジュールを示す斜視図である。
【図６】本発明の一実施形態に従った雄型及び雌型電気コネクタの嵌合状態を示す斜視図である。
【図７】嵌合状態の雄型及び雌型電気コネクタの組立体を貫通する断面での斜視図である。
【図８】雄型及び雌型電気コネクタの嵌合前の状態を示す斜視図である。
【図９】嵌合状態の雄型及び雌型電気コネクタを示す斜視図である。
【図１０】本発明の一実施形態に従った雌型電気コネクタの斜視図である。
【図１１】図１０に示される雌型電気コネクタを別の方向から見た斜視図である。
【図１２】対応する雄型電気コネクタと嵌合する前の雌型電気コネクタの一部を示す斜視図である。
【図１３】対応する雄型電気コネクタと嵌合した後の図１２に示される雌型電気コネクタの一部を示す斜視図である。
【図１４】本発明の一実施形態に従った電気コネクタの実装コンタクトのマトリクス状配列を示す図である。
【図１５】本発明の一実施形態に従った電気コネクタの嵌合コンタクトのマトリクス状配列を示す図である。
【符号の説明】
【００４７】
１０  雄型電気コネクタ
１    雄型電気コネクタハウジング
２    第１嵌合コンタクト
３    前方嵌合縁
４    実装コンタクト
５    コンタクトモジュール
６    絶縁プレート
７    支持リブ
１７  案内スロット
２０  雌型電気コネクタ
２１  雌型電気コネクタハウジング
２２  第１嵌合コンタクト
２４  実装コンタクト
２５  コンタクトモジュール（チクレット）
２６  絶縁プレート
２７  案内リブ
【図１】
2009524183.tif 000003
【図２】
2009524183.tif 000004
【図３】
2009524183.tif 000005
【図４】
2009524183.tif 000006
【図５】
2009524183.tif 000007
【図６】
2009524183.tif 000008
【図７】
2009524183.tif 000009
【図８】
2009524183.tif 000010
【図９】
2009524183.tif 000011
【図１０】
2009524183.tif 000012
【図１１】
2009524183.tif 000013
【図１２】
2009524183.tif 000014
【図１３】
2009524183.tif 000015
【図１４】
2009524183.tif 000016
【図１５】
2009524183.tif 000017
【国際調査報告】
2009524183.tif 000018
2009524183.tif 000019
2009524183.tif 000020